(57)【要約】      （修正有）【課題】画像全域に亘り現像ゴーストを抑制することより、形成される画像の再現性の向上を図る。【解決手段】制御部５０は、画像データＭｉ（ｔ）を読み込むと、この画像データＭｉ（ｔ）を、現像ローラーの回転１周期ｔｓ前に読み込んだ画像データＭｉ（ｔ−ｔｓ）に基づいて補正し、補正後の画像データＮｉ（ｔ）に応じて感光体ドラムを露光している。これにより、現像ゴーストの発生部位における濃度を抑制するように、画像データをコントロールことができるので、現像ゴーストの発生を適切に抑制することができる。また、周期的に読み込まれる画像データに対して逐次補正が行われるので、画像の全領域に亘り形成される画像の再現性の向上を図ることができる。【選択図】図２
2013120322.tif 000002
【特許請求の範囲】
【請求項１】
回転駆動する像担持体と、
前記像担持体の表面を帯電させる帯電部と、
前記帯電部により帯電された前記像担持体を露光して潜像を形成する露光部と、
前記像担持体上の潜像を現像剤で現像する現像ローラーと、
画像データを所定の周期で読み込み、読み込んだ前記画像データに基づいて前記露光部を制御する制御部と、を有し、
前記制御部は、前記画像データを読み込むと、当該画像データを前記現像ローラーの回転１周期前に読み込んだ前記画像データに基づいて補正し、補正後の画像データに応じて前記像担持体を露光することを特徴とする画像形成装置。
【請求項２】
前記制御部は、読み込んだ前記画像データに、前記現像ローラーの回転１周期前に読み込んだ前記画像データに関する画像の濃度が薄い程、画像の濃度が薄くなるような補正を行うことを特徴とする請求項１に記載された画像形成装置。
【請求項３】
前記制御部は、前記現像ローラーの回転１周期前に読み込んだ前記画像データに応じて決定されて０以下の実数となる補正値と、読み込んだ前記画像データとの加算値を、補正後の画像データとして演算することを特徴とする請求項１に記載された画像形成装置。
【請求項４】
前記制御部は、前記現像ローラーの回転１周期前に読み込んだ前記画像データが、予め設定した基準値よりも大きい場合、０を前記補正値として用い、当該画像データが前記基準値以下の場合、前記画像データが小さいほど単調減少するような関係式で与えられる値を前記補正値として用いることを特徴とする請求項３に記載された画像形成装置。
【請求項５】
前記制御部は、前記現像ローラーの回転１周期前に読み込んだ前記画像データが存在しない場合には、補正値の算出に供する画像データとして画像の濃度を０とするデータを補完することを特徴とする請求項３又は４に記載された画像形成装置。
【発明の詳細な説明】
【技術分野】
【０００１】
本発明は、画像形成装置に関する。
【背景技術】
【０００２】
従来より、プリンタ、複写機などとして電子写真方式の画像形成装置が知られている。この画像形成装置では、像担持体である感光体ドラムを帯電させ、露光により感光体ドラム上に静電潜像を形成し、トナーにより静電潜像を現像し、感光体ドラム上のトナー画像を用紙に転写及び定着させるという一連のプロセスを実行する。
【０００３】
例えば特許文献１には、現像した画像に従前に現像した画像の履歴が現れる現象、いわゆる、現像ゴーストを抑制する手法が開示されている。この特許文献１に開示される画像形成装置は、非画像部直後の画像部先端での画像濃度が高まることによる濃度偏差を抑制することを目的に、画像先端から像担持体移動方向に対する所定の長さにおいて記録材へのトナー付着量を抑制する制御を行っている。
【先行技術文献】
【特許文献】
【０００４】
【特許文献１】特開２０１１−８１３５１号公報
【発明の概要】
【発明が解決しようとする課題】
【０００５】
しかしながら、特許文献１に開示された手法によれば、画像先端での現像ゴーストを抑制することができるものの、画像全域に亘って現像ゴーストを抑制することができないという不都合がある。
【０００６】
本発明はかかる事情に鑑みてなされたものであり、その目的は、画像全域に亘り現像ゴーストを抑制することより、形成される画像の再現性の向上を図ることである。
【課題を解決するための手段】
【０００７】
かかる課題を解決するために、本発明は、回転駆動する像担持体と、像担持体の表面を帯電させる帯電部と、帯電部により帯電された像担持体を露光して潜像を形成する露光部と、像担持体上の潜像を現像剤で現像する現像ローラーと、画像データを所定の周期で読み込み、読み込んだ画像データに基づいて露光部を制御する制御部と、を有し、制御部は、画像データを読み込むと、当該画像データを現像ローラーの回転１周期前に読み込んだ画像データに基づいて補正し、補正後の画像データに応じて像担持体を露光することを特徴とする画像形成装置を提供する。
【０００８】
ここで、本発明において、制御部は、読み込んだ画像データに、現像ローラーの回転１周期前に読み込んだ画像データに関する画像の濃度が薄い程、画像の濃度が薄くなるような補正を行うことが好ましい。
【０００９】
また、本発明において、制御部は、現像ローラーの回転１周期前に読み込んだ画像データに応じて決定されて０以下の実数となる補正値と、読み込んだ画像データとの加算値を、補正後の画像データとして演算すること好ましい。
【００１０】
また、本発明において、制御部は、現像ローラーの回転１周期前に読み込んだ画像データが、予め設定した基準値よりも大きい場合、０を補正値として用い、当該画像データが基準値以下の場合、画像データが小さいほど単調減少するような関係式で与えられる値を補正値として用いることが好ましい。
【００１１】
また、本発明において、制御部は、現像ローラーの回転１周期前に読み込んだ画像データが存在しない場合に、補正値の算出に供する画像データとして画像の濃度を０とするデータを補完することが好ましい。
【発明の効果】
【００１２】
本発明によれば、現像ローラーの回転１周期前の画像データに応じて補正を実行することにより、現像ゴーストの発生部位に応じて画像データをコントロールすることができるので、現像ゴーストの発生を適切に抑制することができる。また、周期的に補正を行うことで、画像先端に現れる現像ゴーストのみならず、画像先端以外において白抜けや薄い濃度に対応して現れる現像ゴーストを抑制することができるので、画像の全領域に亘り、形成される画像の再現性の向上を図ることができる。
【図面の簡単な説明】
【００１３】
【図１】画像形成装置の全体構成を模式的に示す説明図
【図２】第１の実施形態に係る画像形成装置の制御系の構成を概略的に示すブロック図
【図３】制御部の動作を示すタイミングチャート
【図４】画像データに関する補正概念を模式的に示す説明図
【図５】補正を実行しない場合における画像状態を模式的に示す説明図
【図６】第２の実施形態に係る画像形成装置の制御系の構成を概略的に示すブロック図
【発明を実施するための形態】
【００１４】
図１は、画像形成装置１の全体構成を模式的に示す説明図である。この画像形成装置１は、例えば複写機といった電子写真方式の画像形成装置であり、画像データに基づいて用紙Ｐに画像を形成する。画像形成装置１は、原稿読取装置５と、露光部１０と、感光体ドラム２１と、帯電部２２と、現像部２３と、転写部２４と、定着装置３０と、制御部５０とを主体に構成されている。
【００１５】
原稿読取装置５は、画像形成装置１本体の筐体上部に配置され、画像を読み取る際に原稿を自動的に移動させる自動原稿送り部を備えている。この原稿読取装置５は、原稿に形成された画像を読み取り、所定の画像信号を出力する。出力された画像信号は、Ａ／Ｄ変換が施されることにより画像データとして作成される。原稿読取装置５は、画像データに、シェーディング補正やディザ処理、圧縮等の処理を施し、この処理により得られるデータを最終的な画像データとして制御部５０に出力する。ここで、画像データは、読み込まれた画像を画素単位の濃度（階調）で指すデータであり、例えば画素毎に８ビットのデータが対応付けられた所定のデータ群で構成されている。
【００１６】
なお、制御部５０は、原稿読取装置５から画像データを取得するのみならず、画像形成装置１に接続されたパーソナルコンピューターや他の画像形成装置から画像データを受信してもよい。また、この画像データには、用紙Ｐの紙間に形成される、濃度補正用のパッチ画像に対応するデータを含めることもできる。
【００１７】
露光部１０は、画像データをもとに制御部５０から出力される出力情報に対応して、感光体ドラム２１の表面をレーザービームにより走査露光する。この走査露光により、感光体ドラム２１に所定の静電潜像が形成される。
【００１８】
感光体ドラム２１は、帯電部２２によりその表面が一様に帯電させられており、前述の通り、露光部１０によりその表面に潜像が形成される。
【００１９】
現像部２３は、トナーで現像することによって感光体ドラム２１上の潜像を顕像化する。これにより、感光体ドラム２１上にトナー画像が形成される。例えば、現像部２３は、感光体ドラム２１の軸方向に沿って延在するハウジング２３ａを有しており、ハウジング２３ａの内部には、トナー及びキャリアを含む２成分現像剤が収容されている。ハウジング２３ａには、感光体ドラム２１の外周面に対向するように開口部が設けられているとともに、この開口部を介して感光体ドラム２１の外周面に対向するように現像ローラー２３ｂが配置されている。
【００２０】
用紙収納部４０に収納された用紙Ｐは、転写部２４へ給紙される。転写部２４は、感光体ドラム２１の表面上のトナー画像を用紙Ｐへ転写し、その後、分離部２５は、トナー画画像が転写された用紙Ｐを感光体ドラム２１から分離する。一方、クリーニング装置２６は、転写部２４によりトナー画像が用紙Ｐに転写された後の感光体ドラム２１の表面に残留しているトナーを除去する。中間搬送部４１は、分離された用紙Ｐを定着装置３０へ搬送する。
【００２１】
定着装置３０は、用紙Ｐに対する加熱及び加圧によって、トナー画像を用紙Ｐに定着させる。定着装置３０は、例えば定着上ローラーと定着下ローラーとを主体に構成されており、定着上ローラー及び定着下ローラーは、互いに圧接した状態で配置され、定着上ローラー及び定着下ローラーとの接触位置に定着ニップ部が形成される。また、例えば定着上ローラーの内部には、熱定着を行う加熱手段としてのヒーターが内蔵されており、ヒーターからの輻射熱により定着上ローラーが加熱される。
【００２２】
排紙部４２は、定着処理が施された用紙Ｐを用紙トレイ４５へ排出する。また、用紙Ｐの両面に画像形成を行う場合、定着装置３０により定着処理が施された用紙Ｐは、搬送経路切換板４３により、その搬送方向が排紙部４２側から下方（反転搬送部４４）側へと切り換えられる。反転搬送部４４は、用紙Ｐをスイッチバックすることにより用紙Ｐの表裏を反転させた上で用紙Ｐを転写部２４へ搬送する。転写部２４は、トナー画像を用紙Ｐの裏面へ転写し、当該用紙Ｐは定着装置３０を経て、排紙部４２から用紙トレイ４５へ排紙される。
【００２３】
制御部５０は、画像形成装置１を統合的に制御する機能を担っており、ＣＰＵ、ＲＯＭやＲＡＭなどのメモリ、通信Ｉ／Ｆなどを備えるマイクロコンピュータを主体に構成されている。制御部５０は、画像形成装置１の各部を制御することにより、以下に示す各プロセスを実行し、用紙Ｐにトナー画像を形成する。
（１）感光体ドラム２１を帯電させる
（２）露光部１０により感光体ドラム２１上に静電潜像を形成する
（３）形成された静電潜像にトナーを付着させる
（４）感光体ドラム２１上のトナー画像を用紙Ｐに転写させる
（６）定着装置３０により用紙Ｐに転写されたトナー画像に定着処理を施す
【００２４】
操作部７０は、画像形成装置１の上部に配置されており、ユーザーによって設定される種々の情報を制御部５０に出力する。操作部７０としては、例えば、ディスプレイ上に表示される情報に従い、入力操作を行うことが可能なタッチパネルを用いることができる。かかる操作部７０を通じて、ユーザーは印刷条件などを設定することができる。なお、ユーザーによって設定される種々の情報は、操作部７０によらずとも、画像形成装置１に接続されたパーソナルコンピューターや他の画像形成装置から制御部５０に出力してもよい。また、制御部５０は、操作部７０を制御することにより、当該操作部７０を介してユーザーに種々のメッセージを表示することができる。
【００２５】
図２は、本実施形態に係る画像形成装置１の制御系の構成を概略的に示すブロック図である。本実施形態との関係において、制御部５０は、これを機能的に捉えた場合、メイン制御部５１と露光制御部とを有し、露光制御部は、画像データ格納部５２、伸縮処理部５３、補正部５４及び画像処理部５９を有している。以下、各部の機能とともに、制御部５０による動作手順を説明する。ここで、図３は、制御部５０の動作を示すタイミングチャートである。また、図４は、本実施形態にかかる画像データに関する補正概念を模式的に示す説明図であり、（ａ）は元の画像データ、（ｂ）は補正後の画像データ（露光に供される画像データ）、（ｃ）は形成される画像を模式的に示している。
【００２６】
メイン制御部５１は、露光部１０により走査露光を行うためのトリガー信号を所定の周期で出力する（図３（ａ）参照）。出力されたトリガー信号は、伸縮処理部５３に出力される。
【００２７】
画像データ格納部５２は、原稿読取装置５、画像形成装置１に接続されたパーソナルコンピューター又は他の画像形成装置から出力される画像データを格納する。
【００２８】
伸縮処理部５３は、トリガー信号に応じて、１走査に対応する所定ライン相当の画像データＭ（ｔ）を画像データ格納部５２から読み込む（図３（ｂ）参照）。この読み込んだ１走査ライン相当の画像データＭ（ｔ）には、走査方向に並列する各画素についての当該画素の濃度を示すデータ（以下「１画素相当の画像データ」という）Ｍｉ（ｔ）が含まれている（図４（ａ）参照）。伸縮処理部５３は、読み込んだ画像データＭ（ｔ）を、印刷条件に応じて拡大したり縮小したりした上で、補正部５４に出力する。
【００２９】
補正部５４は、現在読み込んだ画像データＭ（ｔ）を、現像ローラー２３ｂの回転１周期ｔｓ前に読み込んだ画像データＭ（ｔ−ｔｓ）に基づいて補正する。この補正部５４は、読み込んだ１走査ライン相当の画像データＭ（ｔ）に含まれる画素毎に、後述する演算を行う。
【００３０】
補正部５４は、データ補正部５５と、選択出力部５６と、遅延出力部５７と、補正値算出部５８とを備えており、伸縮処理部５３から出力された画像データＭ（ｔ）は、データ補正部５５及び選択出力部５６のそれぞれに入力される。
【００３１】
選択出力部５６は、伸縮処理部５３から画像データＭ（ｔ）が出力された場合には、その出力された画像データＭ（ｔ）を遅延出力部５７に出力する（図３（ｃ）参照）。一方、選択出力部５６は、紙間といったように、伸縮処理部５３から画像データＭ（ｔ）が出力されていない場合には、画像の濃度が０に相当する仮想的なデータを、画像データＭ（ｔ）として遅延出力部５７に出力する（図３（ｃ）参照）。すなわち、選択出力部５６は、後述する補正値算出部５８の補正値算出演算において、現像ローラー２３ｂの回転１周期ｔｓ前に読み込んだ画像データＭ（ｔ−ｔｓ）が存在しない場合に、補正値の算出に供する画像データＭ（ｔ−ｔｓ）として画像の濃度を０とするデータを補完する機能を担っている。
【００３２】
遅延出力部５７は、選択出力部５６から入力された画像データＭ（ｔ）を、入力タイミングから一定期間経過したタイミングで、すなわち、所定期間遅延させた後に、補正値算出部５８に出力する。この遅延期間は、現像ローラー２３ｂの回転１周期ｔｓに対応しており、装置の諸元等に基づいて予め最適値が設定されている。したがって、この遅延出力部５７は、選択出力部５６から画像データＭ（ｔ）が入力されたタイミングにおいて、現像ローラー２３ｂの回転１周期ｔｓ前に選択出力部５６から入力された画像データＭ（ｔ−ｔｓ）を補正値算出部５８に出力する（図３（ｄ）参照）。
【００３３】
補正値算出部５８は、下式に基づいて補正値ａ（Ｍｉ（ｔ−ｔｓ））を算出する。
（数式１）
ａ（Ｍｉ（ｔ−ｔｓ））＝Ａ−Ｂ×Ｍｉ（ｔ−ｔｓ）
【００３４】
ここで、「Ｍｉ（ｔ−ｔｓ）」は、現像ローラー２３ｂの回転１周期ｔｓ前に読み込んだ画像データＭ（ｔ−ｓ）に含まれる１画素相当の画像データである。
【００３５】
また、Ａは負の実数からなる定数であり、Ｂは正の実数からなる定数である。同数式に示すように、補正値ａ（Ｍｉ（ｔ−ｔｓ））は、現像ローラー２３ｂの回転１周期ｔｓ前に読み込んだ画像データＭｉ（ｔ−ｔｓ）に応じて決定される値であり、各定数Ａ，Ｂの設定により、補正値ａ（Ｍｉ（ｔ−ｔｓ））は０以下の実数として算出される。すなわち、この補正値ａ（Ｍｉ（ｔ−ｔｓ））は、現像ローラー２３ｂの回転１周期ｔｓ前に読み込んだ画像データＭｉ（ｔ−ｔｓ）により定義される濃度が薄い程、補正後の画像データＮｉ（ｔ）により定義される濃度が補正前の画像データＭｉ（ｔ）により定義される濃度よりも薄くなるように補正を行う機能を担っている。
【００３６】
各々の定数Ａ，Ｂは、このような補正を実現すべく、実験やシミュレーションを通じて最適値が予め設定されている。例えば、各定数Ａ，Ｂは、以下の要件（１），（２）を満たすように設定されている。
（１）現像ローラー２３ｂの回転１周期ｔｓ前に読み込んだ画像データＭｉ（ｔ−ｔｓ）が、予め設定した基準値（定数Ａ／Ｂに相当）よりも大きい場合には、補正値ａ（Ｍｉ（ｔ−ｔｓ））を０に設定する。
（２）現像ローラー２３ｂの回転１周期ｔｓ前に読み込んだ画像データＭｉ（ｔ−ｔｓ）が基準値以下の場合には、画像データＭｉ（ｔ−ｔｓ）が小さい程、補正値ａ（Ｍｉ（ｔ−ｔｓ））が単調減少し、その下限値をＡとする。
【００３７】
画素毎に演算された各補正値ａ（Ｍｉ（ｔ−ｔｓ））は、１走査ライン相当の補正値ａ（Ｍ（ｔ−ｔｓ））として、データ補正部５５に出力される。
【００３８】
データ補正部５５は、現在読み込んだ画像データＭ（ｔ）を、補正値算出部５８から出力される補正値ａ（Ｍ（ｔ−ｔｓ））に基づいて補正し、これにより、補正後の画像データＮ（ｔ）を算出する。具体的には、データ補正部５５は、下式に基づいて補正後の画像データＮ（ｔ）を算出する。ここで、データ補正部５５は、同数式に示す演算を、１画素相当の画像データＭｉ（ｔ）毎に実行することで、補正後の１走査ライン相当の画像データＭ（ｔ）を得ることができる。
（数式２）
Ｎｉ（ｔ）＝ａ（Ｍｉ（ｔ−ｔｓ））＋Ｍｉ（ｔ）
【００３９】
画像処理部５９は、データ補正部５４からの補正後の画像データＮ（ｔ）に基づいて、露光部１０の走査露光を制御するための出力情報を出力する。この出力情報に応じて露光部１０が制御され、当該走査露光により、感光体ドラム２１に補正後の画像データに応じた静電潜像が形成される。
【００４０】
このような一連の手順を含んで、制御部５０が画像形成を行うことにより、補正前の画像データに対応した画像を適切に形成することができる（図４（ｃ）参照）。
【００４１】
図５は、本実施形態に示す補正を実行しない場合における画像状態を模式的に示す説明図であり、（ａ）は元の画像データ、（ｂ）は露光に供される画像データ、（ｃ）は形成される画像を示している。同図に示すように、本実施形態に示すような補正がなされない場合、元の画像データＭｉ（ｔ）と、露光に供される画像データＭｉ（ｔ）とは対応する。形成対象となる画像の濃度が薄かったり或いは０であったりする場合、現像ローラーにはほとんどのトナーが残留する。この残留トナーの部分では、トナーの帯電電位が高めとなることにより、現像ローラーが１回転後にトナーを転写する際に、トナー付着量が多くなり、画像濃度が濃くなってしまうという問題がある。このような、現像ゴーストとよばれる問題は、同図（ｃ）に示すように、画像先端から現像ローラーの１回転分の長さの範囲、又は、白抜け若しくは濃度が薄い文字等の部分から現像ローラーの１回転分に対応する箇所に現れる。
【００４２】
この点、本実施形態において、制御部５０は、画像データＭｉ（ｔ）を読み込むと、この画像データＭｉ（ｔ）を、現像ローラー２３ｂの回転１周期ｔｓ前に読み込んだ画像データＭｉ（ｔ−ｔｓ）に基づいて補正し、補正後の画像データＮｉ（ｔ）に応じて感光体ドラム２１を露光している。
【００４３】
かかる構成によれば、現像ローラー２３ｂの回転１周期ｔｓ前の画像データＭｉ（ｔ−ｔｓ）に応じて、現在の画像データＭｉ（ｔ）に対する補正を実行することにより、現像ゴーストの発生部位に応じて画像データＭｉ（ｔ）をコントロールすることができるので、現像ゴーストの発生を適切に抑制することができる。これにより、画像データに対応した画像を適切に形成することができる。
【００４４】
また、本実施形態によれば、周期的に読み込まれる画像データＭｉ（ｔ）に対して逐次補正が行われる。これにより、紙間に対応して現れる画像先端の現像ゴーストのみならず、画像先端以外において白抜けや薄い濃度に対応して現れる現像ゴーストを抑制することができるので、画像の全領域に亘り形成される画像の再現性の向上を図ることができる。
【００４５】
また、本実施形態において、制御部５０は、読み込んだ画像データＭｉ（ｔ）に、現像ローラー２３ｂの回転１周期ｔｓ前に読み込んだ画像データＭｉ（ｔ−ｔｓ）に関する画像の濃度が薄い程、画像の濃度が薄くなるような補正を行う。具体的には、制御部５０は、現像ローラー２３ｂの回転１周期ｔｓ前に読み込んだ画像データＭｉ（ｔ−ｔｓ）に応じて決定されて０以下の実数となる補正値ａ（Ｍｉ（ｔ−ｔｓ））と、読み込んだ画像データＭｉ（ｔ）との加算値を、補正後の画像データＮｉ（ｔ）として演算する。この場合、制御部５０は、現像ローラー２３ｂの回転１周期ｔｓ前に読み込んだ画像データＭｉ（ｔ−ｔｓ）が、予め設定した基準値（Ａ／Ｂ）よりも大きい場合、０を補正値ａ（Ｍｉ（ｔ−ｔｓ））として用い、画像データＭｉ（ｔ−ｔｓ）が基準値（Ａ／Ｂ）以下の場合、画像データＭｉ（ｔ−ｔｓ）が小さいほど単調減少するような関係式で与えられる値を補正値ａ（Ｍｉ（ｔ−ｔｓ））として用いる。
【００４６】
かかる構成によれば、画像データＭｉ（ｔ）の濃度が、現像ローラー２３ｂの回転１周期ｔｓ前に読み込んだ画像データＭｉ（ｔ−ｔｓ）の濃度に応じて補正されることとなる。これにより、回転１周期ｔｓ前の白抜けのみならず、画像濃度が薄い部分について発生する現像ゴーストについても、濃度の濃淡に応じて適切に補正することができる。これにより、元の画像データに対する再現性を適切に維持することができる。
【００４７】
また、本実施形態において、制御部５０は、現像ローラー２３ｂの回転１周期ｔｓ前に読み込んだ画像データＭｉ（ｔ−ｔｓ）が存在しない場合には、補正に供する画像データＭｉ（ｔ−ｔｓ）として画像濃度を０とするデータを補完している。
【００４８】
かかる構成によれば、現像ローラー２３ｂの回転１周期ｔｓ前が紙間に相当するといったように、その画像データＭｉ（ｔ−ｔｓ）が存在しない場合であっても、本実施形態に示す補正を適切に実行することができる。これにより、用紙Ｐの先端から現像ローラーの１回転分の長さの範囲における現像ゴーストを有効に抑制することができる。
【００４９】
なお、本実施形態では、画像形成動作において補正を常時実行することを前提に説明を行っている。しかしながら、操作部７０を通じたユーザー操作により、補正動作の許否を設定することができるようにしてもよい。
【００５０】
（第２の実施形態）
図６は、第２の実施形態にかかる画像形成装置の制御系の構成を概略的に示すブロック図である。本実施形態にかかる制御部５０が、第１の実施形態のそれと相違する点は、複数の感光体を一本の中間転写ベルトに対面させて縦方向に配列することによりフルカラーの画像を形成するカラー画像形成装置に対応した構成となっていることである。なお、第１の実施形態と共通する構成については説明を省略することとし、以下相違点を中心に説明を行う。
【００５１】
図６に示すように、イエロー、マゼンダ、シアン及びブラックを含む４つの色に対応する露光部１０Ｙ，１０Ｍ，１０Ｃ，１０Ｋに合わせて、各色に対応する補正部５４Ｙ，５４Ｍ，５４Ｃ，５４Ｋと、画像処理部５９Ｙ，５９Ｍ，５９Ｃ，５９Ｋとを備えている。個々の補正部５４Ｙ〜５４Ｋ及びの画像処理部５９Ｙ〜５９Ｋは、所定の色に対応する画像データを処理するという点以外において、前述の第１の実施形態に示す補正部５４及び画像処理部５９と同様の機能を担っている。
【００５２】
かかる構成によれば、カラー画像であっても同様に、現像ゴーストを抑制することができるので、カラー画像を再現性よく形成することができる。
【００５３】
以上、本発明の実施形態にかかる画像形成装置について説明したが、本発明は上述した実施形態に限定されることなく、その発明の範囲内において種々の変形が可能であることはいうまでもない。
【符号の説明】
【００５４】
１      画像形成装置
５      原稿読取装置
１０      露光部
２１      感光体ドラム
２２      帯電部
２３      現像部
２３ａ    ハウジング
２３ｂ    現像ローラー
２４      転写部
３０      定着装置
５０      制御部
５１      メイン制御部
５２      画像データ格納部
５３      伸縮処理部
５４      補正部
５５      データ補正部
５６      選択出力部
５７      遅延出力部
５８      補正値算出部
５９      画像処理部
７０      操作部
【図１】
2013120322.tif 000003
【図２】
2013120322.tif 000004
【図３】
2013120322.tif 000005
【図４】
2013120322.tif 000006
【図５】
2013120322.tif 000007
【図６】
2013120322.tif 000008